(57)【要約】【課題】造形性およびフィット感の向上、コストダウンも可能なカップ部を有する婦人下着を提供する。【解決手段】カップ部を有する婦人下着（Ａ）は、左右一対のブラジャーカップ（１）、カップ被覆布（２０）、ストラップ（３０）、背面部（７）、土台布（１０）、及びリフトアップ布（４０）とで構成されている。ブラジャーカップ（１）の下辺（２）がリフトアップ布（４０）の下縁（２２）に縫着されている。ブラジャーカップ（１）の側辺（４）と上辺（３）とがカップ被覆布（２０）に対して非縫着に設けられている。リフトアップ布（４０）はブラジャーカップ（１）とカップ被覆布（２０）との間に挟まれるように設けられている。ブラジャーカップ（１）の上端（Ｐ３）が位置するコーナー部分（９）には孔（６）が設けられている。リフトアップ布（４０）の挿通部分（４６）が前記孔（６）を通過するように配置されている。
2019224965.tif 000002
【特許請求の範囲】
【請求項１】
下方向に湾曲した下辺と、前記下辺の脇側端部から上辺に向かって立ち上がった側辺と、前記下辺の胸元側端部から前記側辺の上端に至る上辺とを有し、バストを収納するように構成された左右一対のブラジャーカップと、  前記ブラジャーカップの表面から分離して該ブラジャーカップをその表面側から覆うように配設され、前記ブラジャーカップの脇側端部から胸元側端部に至る下辺がその下縁に縫着され、前記ブラジャーカップの側辺と上辺とが非縫着に設けられているカップ被覆布と、  前記ブラジャーカップの下辺とカップ被覆布の下縁とが縫着された土台布と、  前記土台布の左右両側から着用者の背面を覆うように設けられた背面部と、  前記カップ被覆布から前記背面部に至るストラップと、  前記ブラジャーカップとカップ被覆布との間に挟まれるように設けられ、その下辺は、ブラジャーカップの下辺に縫着され、その上端辺がストラップに接続され、ブラジャーカップの下部を吊り上げるように構成されたリフトアップ布とで構成されている婦人下着であって、  前記ブラジャーカップの上端が位置するコーナー部分には孔が設けられており、前記リフトアップ布の上端辺に至る帯状の挿通部分が前記コーナー部分の表側から裏側に向けて前記孔に挿通されるように設けられていることを特徴とするカップ部を有する婦人下着。
【請求項２】
コーナー部分に穿設された孔は、挿通部分の長手方向に対して交差する方向でスリット状に形成されていることを特徴とする請求項１に記載の婦人下着。
【請求項３】
挿通部分の幅より孔の長手方向の幅の方が大きく形成されていることを特徴とする請求項２に記載の婦人下着。
【請求項４】
リフトアップ布の下辺の一部をブラジャーカップの下辺に対して非縫着とした非縫着部分とし、該非縫着部分の両側の部分をブラジャーカップの下辺に縫着される縫着部分とすることを特徴とする請求項１〜３のいずれかに記載の婦人下着。
【請求項５】
非縫着部分を、ブラジャーカップの下辺の最下点に一致する点を含む部分に、又は前記点に隣接する部分に設けたことを特徴とする請求項４に記載の婦人下着。
【請求項６】
非縫着部分の非縫着幅は胸元側縫着部分の縫着幅と等しく、脇側縫着部分の縫着幅は非縫着部分より短く形成されることを特徴とする請求項４又は５に記載の婦人下着。
【請求項７】
前記カップ被覆布とリフトアップ布との間、又はリフトアップ布と前記ブラジャーカップとの間に挟まれ、且つ両者に分離してサブリフトアップ布が更に設けられ、  サブリフトアップ布の下辺と側辺は、カップ被覆布の下辺と側辺にそれぞれ縫着されていることを特徴とする請求項１〜６のいずれかに記載の婦人下着。
【請求項８】
ブラジャーカップの下辺には、ワイヤが設けられていないことを特徴とする請求項１〜７のいずれかに記載の婦人下着。
【発明の詳細な説明】
【技術分野】
【０００１】  本発明は、ブラジャーやキャミソールのようなカップ部を有する婦人下着に関する。
【背景技術】
【０００２】  ブラジャーに代表されるカップ部を有する婦人下着は、カップ部の下辺に円弧状のワイヤを用いたものと、ワイヤを用いないものの２種類がある。ワイヤを用いないカップ部を有する婦人下着を、ワイヤレス婦人下着（或いは、ワイヤレスブラジャー）という。  ワイヤレス婦人下着（ワイヤレスブラジャー）は、例えばバストを覆うための左右のカップ部、カップ部の下辺に必要に応じて縫着されてこれを支持する土台部、この土台部から背面側に延びるバック部、及びカップ部からバック部に架けて設けられたストラップなどを備えている。ワイヤを用いた婦人下着（ブラジャー）は、カップ部の下辺に円弧状のワイヤが挿入されている。ワイヤはカップ部の形状をワイヤの形に保つ働きをする。【０００３】  婦人下着の着用者には、バストの豊かな人やそうではない人、胸板の厚い人や薄い人、肩幅の広い人や狭い人、いかり肩の人やなで肩の人などがあり、バスト周りに関して実に様々な体形がある。  このような婦人下着のカップ部に共通して求められる主たる機能の一つとしては、バストを寄せて上げることで胸元にきれいなデコルテを形成する、バストの造形性向上が挙げられる。これに加えてどのような体形の人が着用してもカップ部がぴったりと隙間なく装着されてバストをしっかりとホールドしているというフィット感や、着用時の快適性（例えば、体を左右に捩じってもブラジャーカップが胸から浮かない、両腕を振ってもバストがブラジャーカップの脇からはみ出ない、両手を上に上げてもブラジャーがずれ上がらない、両肩を回してもストラップが肩から落ちてしまわない、ジャンプをしてもバストが大きく揺れない、前屈みになってもブラジャーのバックベルトが上がらないというようなこと）など着け心地の向上も重要な要素として挙げられる。【０００４】  特許文献１は婦人下着のバストの造形性向上に対する発明で、この発明はバストを豊かに盛り上げるためにリフトアップ布を用いるものである。このリフトアップ布は、その上端がブラジャーカップの上端外側のコーナー部と共にストラップの胸側端部に縫着され、且つブラジャーカップの下辺と共にその下辺が土台布のカップ刳り辺にそれぞれ縫着され、ストラップの胸側端部と土台布のカップ刳り辺との間に斜めに架け渡されている。【０００５】  このリフトアップ布のブラジャーカップに対する被覆領域は、ブラジャーカップの外面において、その下側部分から外側側面部分にかけての領域で、この範囲を一面的に覆う。  これにより着用時には、ストラップの引きで、リフトアップ布により、ブラジャーカップに収納されたバストの脇側部分から下部をその膨らみに合わせて全体的に内側に寄せて上方に持ち上げることができ、前中心側にバストを寄せて美しいデコルテを胸元に形成する効果があるとしている。【０００６】  特許文献２はバストへのフィット感や、着用時の快適性など婦人下着の着け心地向上に着目した発明である。この発明は、左右のブラジャーカップとこれを上から覆う表側布とで構成されている。ブラジャーカップの下辺は、土台部のカップ刳り辺に表側布と共に縫着され、表側布の上端だけがストラップの胸側端部が縫着されている。ブラジャーカップの上辺が表側布に対して非縫着とな��ている。即ち、ブラジャーカップの下辺以外は表側布に対してフリーとなっている。このようなブラジャーをフリーカップブラジャーという。
【先行技術文献】
【特許文献】
【０００７】
【特許文献１】特開２０１５−２１２４３７号公報
【特許文献２】特開２０１６−６９７６３号公報
【発明の概要】
【発明が解決しようとする課題】
【０００８】  特許文献１に開示されたブラジャーは、リフトアップ布の上端がブラジャーカップの上端と共にストラップの胸側端部に縫着されている。ストラップにブラジャーカップが縫着されている場合、ブラジャーカップの位置はストラップにより決まり、着用者の体形に対して適用性が乏しい。例えば、普通の肩幅の人に適合するブラジャーカップを、肩幅の広い人が着用した場合、肩幅に合わせて左右のストラップの間隔が広くなり、ストラップに縫着されたブラジャーカップが外側に引っ張られることになる。そうすると、バストの位置からブラジャーカップが外にずれ、ぴったり装着されずフィット性が悪くなる。  この状態で体を動かすと、ブラジャーカップとリフトアップ布がストラップの動きに合わせて移動することになる。  また、胸を反らせたり、腕を上げることによってストラップが引き上げられると、ストラップが引っ張られてブラジャーカップが必要以上に持ち上げられ、その下辺がバストのバージスラインから外れることもあった。【０００９】  これに対して引用文献２のフリーカップブラジャーは、上記のようにブラジャーカップの上辺が表側布に対して非縫着状態でフリーとなっているため、ブラジャーカップの上部はストラップにその上端が縫着された表側布の動きに拘束されず、独立してバストを覆うことが出来るとしている。【００１０】  しかしながら、ブラジャーカップの上辺が表側布に対してフリーとなり、下辺だけが縫着されて固定されているので、表側布がブラジャーカップを上から抑えているものの、下辺だけ縫着の、あたかも片持ち支持となって上辺は拘束されず不安定である。そして体を大きく捩じったり横に曲げたりすると動作中にブラジャーカップが変形してバストが上辺からこぼれることがある。特に、バストが豊かである場合、この傾向が顕著であった。  【００１１】  その他、上記のように婦人下着の着用者の体形やバストサイズは実にさまざまで、需要者の体形に合わせてＳ、Ｍ、Ｌ、ＬＬ、更には３Ｌというようなサイズと、これらそれぞれに対してバストの大きさに合わせてＡ〜Ｉというカップサイズが決められている。  ワイヤを用いたブラジャーカップは、ワイヤの保形力によってブラジャーカップの下辺の形状がワイヤの形に保持される。上記のようにバストのサイズは大小さまざまあり、ワイヤがバストに合わなければ着用者に痛みを与えたり、ブラジャーカップとバストとの間に隙間が発生してフィット性が悪くなる。  その結果、ワイヤを用いたブラジャーカップはバストのサイズによって細かくブラジャーカップの形を分ける必要があり、メーカー側としては品種が増えることになる。このことは、コストアップに繋がる。【００１２】  本発明は、上記のような従来例の問題に鑑みてなされたもので、造形性およびフィット感の向上は勿論のこと、製品の種類も大幅に抑制することができてコストダウンが可能なカップ部を有する婦人下着を提供することをその目的とする。
【課題を解決するための手段】
【００１３】  請求項１のカップ部を有する婦人下着Ａは、  下方向に湾曲した下辺２と、前記下辺２の脇側端部Ｐ１から上辺３に向かって立ち上がった側辺４と、前記下辺２の胸元側端部Ｐ２から前記側辺４の上端Ｐ３に至る上辺３とを有し、バストＢを収納するように構成された左右一対のブラジャーカップ１と、  前記ブラジャーカップ１の表面から分離して該ブラジャーカップ１をその表面側から覆うように配設され、前記ブラジャーカップ１の脇側端部Ｐ１から胸元側端部Ｐ２に至る下辺２がその下縁２２に縫着され、前記ブラジャーカップ１の側辺４と上辺３とが非縫着に設けられているカップ被覆布２０と、  前記ブラジャーカップ１の下辺２とカップ被覆布２０の下縁２２とが縫着された土台布１０と、  前記土台布１０の左右両側から着用者の背面を覆うように設けられた背面部７と、  カップ被覆布２０から背面部７に至るストラップ３０と、  上記ブラジャーカップ１とカップ被覆布２０との間に挟まれるように設けられ、その下辺４２は、ブラジャーカップ１の下辺２に縫着され、その上端辺４５がストラップ３０に接続され、ブラジャーカップ１の下部を吊り上げるように構成されたリフトアップ布４０とで構成されている婦人下着Ａであって、  前記ブラジャーカップ１の上端Ｐ３が位置するコーナー部分９には孔６が設けられており、前記リフトアップ布４０の上端辺４５に至る帯状の挿通部分４６が前記コーナー部分９の表側から裏側に向けて前記孔６に挿通されるように設けられていることを特徴とする。【００１４】  請求項２に記載の発明は、請求項１の婦人下着Ａにおいて、  コーナー部分９に穿設された前記孔６は前記挿通部分４６の長手方向に対して交差する方向（直交又は直交に近い角度）でスリット状に形成されていることを特徴とする。【００１５】  請求項３に記載の発明は、請求項２の婦人下着Ａにおいて、  挿通部分４６の幅４６ｗより孔６の長手方向の幅（スリット幅）６ｗの方が大きく形成されていることを特徴とする。【００１６】  請求項４に記載の発明は、請求項１〜３のいずれかに記載の婦人下着Ａにおいて、  リフトアップ布４０の下辺４２の一部をブラジャーカップ１の下辺２に対して非縫着とした非縫着部分４２ａとし、該非縫着部分４２ａの両側の部分をブラジャーカップ１の下辺２に縫着される縫着部分４２ｂ・４２ｃとすることを特徴とする。【００１７】  請求項５に記載の発明は、請求項４に記載の婦人下着Ａにおいて、  非縫着部分４２ａを、ブラジャーカップ１の下辺２の最下点Ｐに一致する点Ｑを含む部分に、又は前記点Ｑに隣接する部分に設けたことを特徴とする。【００１８】  請求項６は、請求項4又は５に記載の婦人下着Ａにおいて、  非縫着部分４２ａの非縫着幅は胸元側縫着部分４２ｃの縫着幅と等しく、脇側縫着部分４２ｂの縫着幅は非縫着部分４２ａより短く形成されることを特徴とする。【００１９】  請求項７は、請求項１〜６のいずれかに記載の婦人下着Ａにおいて、  前記カップ被覆布２０とリフトアップ布４０との間、又はリフトアップ布４０と前記ブラジャーカップ１との間に挟まれ、且つ両者に分離してサブリフトアップ布６０が更に設けられ、  サブリフトアップ布６０の下辺６２と側辺６４は、カップ被覆布２０��下縁２２と側辺２４にそれぞれ縫着されていることを特徴とする。【００２０】  請求項８は、請求項１〜７のいずれかに記載の婦人下着Ａにおいて、  ブラジャーカップ１の下辺２には、ワイヤが設けられていないことを特徴とする。
【発明の効果】
【００２１】  上記構成により、造形性およびフィット感の向上は勿論のこと、製品の種類も大幅に抑制することができてコストダウンが可能となる。
【図面の簡単な説明】
【００２２】
【図１】本発明の婦人下着を着用した状態を示す斜視図である。
【図２】図１に示す婦人下着の使用状態において、その中央を縦断面した図とその部分拡大図である。
【図３】カップ被覆布を取り除いた図１の婦人下着において、ストラップ、リフトアップ布及びブラジャーカップの移動状態を示す斜視図である。
【図４】本発明の婦人下着の分解図である。
【図５】サブリフトアップ布を設けた場合の中央縦断面図とサブリフトアップ布の位置を示す部分拡大図である。
【図６】図５に係る婦人下着の背面図である。
【図７】リフトアップ布の非縫着部分が脇側に寄った場合の斜視図である。
【図８】リフトアップ布の非縫着部分が胸元側に寄った場合の斜視図である。
【図９】バストサイズが大きい場合の婦人下着を着用した状態の断面図である。
【図１０】バストサイズが小さい場合の婦人下着を着用した状態の断面図である。
【発明を実施するための形態】
【００２３】  以下、本発明の婦人下着Ａについて例をあげて説明する。本発明の婦人下着Ａには、例えば、ブラジャータイプのもの、図示しないがキャミソールタイプのもの、その他ブラジャーカップ１を有する下着がすべて含まれる。本明細書ではブラジャーを代表例とし、以下、同じ符号Ａで示す。その第１実施形態のものとして、リフトアップ布４０を用いたもの、その第２実施形態としてサブリフトアップ布６０を追加して用いたものがある。
【００２４】（第１の実施形態）  本発明のブラジャーＡの第１実施形態を図１〜図４に示す。ただし、図４において、サブリフトアップ布６０は第２の実施例での説明に兼用するために仮想線で示している。ブラジャーＡは、左右対称のブラジャーカップ１、カップ被覆布２０、リフトアップ布４０、必要に応じて用いられる土台布１０、背面部７（図の実施例では、サイドベルト１１・１２）及びストラップ３０とで構成されている。
【００２５】  ブラジャーカップ１の形状はバストＢやデザインによりさまざまな形状、例えば、図示していないが貝殻状や図４に示すようなハート形がある。ここではハート形を代表例とする。  ブラジャーカップ１は、バストＢを直接収納するためのもので、表面側に椀状に膨出している。ブラジャーカップ１の下辺２は下方向に湾曲し、着用者のバージスラインＶに沿うように設けられている。下辺２の最下点をＰで示し、その端部を脇側端部Ｐ１、胸元側端部Ｐ２とする。ブラジャーカップ１の側辺４は外側に大きな半径で湾曲した弧状態に形成され、下辺２の脇側端部Ｐ１から上辺３に向かって立ち上がる。上辺３は側辺４の上端Ｐ３と下辺２の胸元側端部Ｐ２との間の辺で、本実施例ではＳ字状のスネークラインを描いている。
【００２６】  上辺３は、上辺を３〜４等分した時に、上端Ｐ３から１／３〜１／４離れた地点Ｐ４（胸元側端部Ｐ２から２／３〜３／４の地点）で曲がって方向が変わり、この曲がり方向が変わる部分（変曲部分）で、上端Ｐ３から地点Ｐ４までの短い辺の部分が緩い上向きのカーブを描き、胸元側端部Ｐ２から地点Ｐ４までの長い辺の部分が大きな上向きのカーブを描く。両上向きのカーブは地点Ｐ４で下向きのカーブに滑らかに繋がっている。そしてこれら下辺２、上辺３及び側辺４は円弧で滑らかに繋がれている（図４参照）。  なお、このブラジャーカップ１は説明を分かりやすくするために下辺２、上辺３及び側辺４に分けて説明したが、上辺３と側辺４を連続させて一つの上辺としてもよい。
【００２７】  そして前記ブラジャーカップ１の上端Ｐ３が位置する近辺部分をコーナー部分９とする。このコーナー部分９には孔６が設けられている。この孔６はスリット状に形成され、孔６の形成方向は、ブラジャーカップ１の側辺４に略平行、且つ側辺４に近接して穿設され、後述するようにこのスリット状の孔６に挿通される挿通部分４６の長手方向に対して交差する方向（直交又は直交に近い角度）に形成される。  このスリット状の孔６の長手方向の幅（スリット幅）６ｗは、ここを通過する挿通部分４６の幅４６ｗと等しいか、或いはより大きく形成されている。
【００２８】  ブラジャーカップ１の厚みは様々なものがあり、図９ではトップ位置Ｋ（ブラジャーカップ１の表面で最も高い位置）が最も厚く、周縁に向かってその肉厚が漸減するように構成されている。  ブラジャーカップ１の他の実施例は、図１０に示すように、ブラジャーカップ１の下辺２に添う下半分１ｄが上半分１ｅより厚く、上半分１ｅは下半分１ｄから上辺３に向かってその肉厚が漸減するように構成されている。そして、ブラジャーカップ１の表面側は、全体的になだらかで前方に碗状に膨らんでいる。図９のブラジャーカップ１において、この下半分１ｄに相当する厚みを図示していないが、パッドで補うようにしてもよいし、逆に図１０のブラジャーカップ１の下半分１ｄの厚肉部分をパッドで構成してもよい。
【００２９】  ブラジャーカップ１の素材は図２の拡大図で示すように、本実施形態では中層１ｂが発泡材で、その表・裏面層１ａ・１ｃとして薄い織布が張り付けられている三層構造のシート状の発泡体積層生地（フォーム・ラミネーティド・ファブリック）、又は図示していないが、薄い織布が表面層に設けられた二層構造のシート状の発泡体積層生地（フォーム・バックド・ファブリック）である。発泡材は本実施例ではウレタン樹脂が使用されている。  ブラジャーカップ１の成形に当たっては、発泡体積層生地の原反を適切な大きさに裁断し、金型にて加圧加熱成形し、不要部分を切除して予定された上記の形状に成形する。このような発泡体積層生地で形成されたブラジャーカップ１は、柔軟性と弾力性を有している。しかし伸びはリフトアップ布４０に比べて少ない。  勿論、ブラジャーカップ１の素材はこれに限定されず、不織布、ダブルラッセル等、その他公知の素材を使用することができる。
【００３０】  カップ被覆布２０は、ブラジャーカップ１の全体を覆うように配設される薄い布で、ブラジャーカップ１の上辺３と側辺４はカップ被覆布２０に縫着されず、ブラジャーカップ１の下辺２のみがカップ被覆布２０の下縁２２に縫着され、ブラジャーカップ１の表面から分離している。ブラジャーカップ１の下辺２の縫着範囲は上記のように脇側端部Ｐ１から胸元側端部Ｐ２迄の一部或いは図示していないが全部である。カップ被覆布２０の側辺４は、カップ被覆布２０の、袖刳り２５の一部を構成する側辺２４の内側で脇側端部Ｐ１に一致する位置から上方向に立ち上がっている。
【００３１】  カップ被覆布２０は、図４のように１パーツで構成される場合と、図示していないが２パーツで構成される場合とがある。２パーツで構成される場合、接合部分を縫着すれば、１パーツで構成される場合と同じ形状になる。
【００３２】  １パーツで構成されるカップ被覆布２０は、ブラジャーカップ１の外面形状に沿うようになだらかな球面を描くように金型にて加圧加熱成形する。素材としては、金型にて加圧加熱成形が可能なもの、例えば、ポリウレタン繊維その他伸縮性に富む素材を用いたパワーネットのようなもの、或いはレース編みされたものが用いられる。更には伸縮性（特に、図1に於いて、縦方向「上辺２３に平行な方向」より横方向「上辺２３に直角な方向」に伸縮性）に富む素材で構成された薄いレース生地が用いられる。  ２パーツで構成される場合は、上側パーツと下側パーツとで構成され、素材としては、伸びが少なく、金型による加熱加圧成形のできないような生地が用いられる。上側パーツと下側パーツの接合部分を縫着して、ブラジャーカップ１の外面形状に沿うように表面側に膨らんだ形状にする。
【００３３】  図４に示すように、カップ被覆布２０の下縁２２は、バージスラインＶに沿った下向きＵ形で、その端部を袖刳り側端部２２ａ、及び連結端部２２ｂとする。前記袖刳り２５の一部を構成する辺は、袖刳り側端部２２ａから上に立ち上がり、ストラップ接続部２３ａに至る側辺２４で、ストラップ接続部２３ａと連結端部２２ｂとの間の辺が上辺２３である。
【００３４】  カップ被覆布２０の下縁２２はブラジャーカップ１の下辺２より長く、カップ被覆布２０の下縁２２の袖刳り側端部２２ａと連結端部２２ｂとの間にブラジャーカップ１の下辺２が縫着されている。カップ被覆布２０の下縁２２に対するブラジャーカップ１の下辺２の縫着範囲は脇側端部Ｐ１から胸元側端部Ｐ２である。
【００３５】  カップ被覆布２０は、図４に矢印で示すように、下縁２２からストラップ接続部２３ａに向かって斜め上方向（肩方向）に伸びやすく、その直角方向は前記斜め上方向に比べて伸びにくい。  ただし、カップ被覆布２０の縦横の伸びは次に述べるリフトアップ布４０の伸びより小さい。
【００３６】  リフトアップ布４０は、ブラジャーカップ１とカップ被覆布２０との間に挟まれるように設けられている。リフトアップ布４０の下辺４２は、ブラジャーカップ１の下辺２に合わせて形成されている。リフトアップ布４０の下辺４２の胸元側端部Ｑ２からストラップ３０側に伸びた直線状の辺を上辺４３、下辺４２の脇側端部Ｑ１からストラップ３０側に伸びた辺を側辺４４とする。この上辺４３と側辺４４との間の部分の紐状に細く伸びた部分を挿通部分４６とし、挿通部分４６の上端をストラップ３０に接続する上端辺４５とする。この挿通部分４６は後述するようにブラジャーカップ１の孔６に挿通される。
【００３７】  リフトアップ布４０の素材は、スパンデックス生地やパワーネット生地で、ここではリフトアップ布４０は折り畳まれて二重使いとなっており、その上辺４３が折り畳み辺で直線状に伸びている（図４）。側辺４４は大きく円弧状に抉られており、上辺４３の上部と側辺４４の上部で挟まれた挿通部分４６は、上記のように細く帯状に伸び、その上端辺４５がストラップ３０の胸側の端部に接続されている。なお、折り畳まれたリフトアップ布４０の裁断辺は表裏一体に縫着されている。
【００３８】  リフトアップ布４０の下辺４２の縫着部分４２ｂ・４２ｃは上記のようにブラジャーカップ１の下辺２に合わせて形成される。その端部をそれぞれ上記のように脇側端部Ｑ１、リフトアップ布４０の胸元側端部Ｑ２とする。そして図４の実施例では、リフトアップ布４０の下辺４２の中央部分（ブラジャーカップ１の最下点Ｐに対応する仮想円弧上の点Ｑを含む両側の部分）が円弧状に抉られており、この部分が非縫着部分４２ａとなり、その両側が脇側縫着部分４２ｂ、その反対側が胸元側縫着部分４２ｃとなる。  非縫着部分４２ａの非縫着幅は、図４の場合、最下点Ｐに対応する点Ｑを中心に両側に広がっている。非縫着部分４２ａの非縫着幅は胸元側縫着部分４２ｃの幅と同程度（５５ｍｍ〜６５ｍｍ）に形成されている。これに対して脇側縫着部分４２ｂの幅は（８ｍｍ〜１５ｍｍ）と狭く、非縫着部分４２ａの非縫着幅の１５〜２３％である。
【００３９】  図７、８はリフトアップ布４０の下辺４２の非縫着部分４２ａの変形例で、比較のために破線で点Ｑを含む両側の部分が円弧状に抉られている非縫着部分４２ａを示す。  図７の場合は、点Ｑから脇側端部Ｑ１（ブラジャーカップ１の脇側端部Ｐ１にほぼ一致して設けられている。）側に非縫着部分４２ａが形成された例である。バストＢの引き上げは胸元側縫着部分４２ｃが主として行い、脇側縫着部分４２ｂは脇側のバストＢを内側に寄せる。  図８の場合は、逆に点Ｑから胸元側端部Ｑ２側に非縫着部分４２ａが形成された例である。この場合は、脇側端部Ｑ１が点Ｑに近付き、点Ｑ近傍を上に引き上げる。
【００４０】  リフトアップ布４０の伸び方向は、図４に示すように十字の矢印で示すように上辺４３に平行な方向の伸びが、これに直角な方向の伸びより大である。従って、着用時にリフトアップ布４０に張力が加わった場合、胸元側縫着部分４２ｃから上端辺４５の間で大きな張力が発生し、胸元側縫着部分４２ｃから肩方向に向かって大きく伸びるが、脇側縫着部分４２ｂから上端辺４５方向の伸びは少なく、この部分のバストＢは効果的に胸元側（内側）に寄せられる。  図７のように胸元側縫着部分４２ｃが大きくなれば、胸元側縫着部分４２ｃのバスト吊り上げ範囲が広くなり、図８のように脇側縫着部分４２ｂが大きくなれば、脇側縫着部分４２ｂもバスト寄せ効果が高くなる。
【００４１】  そして、上記非縫着部分４２ａには、リフトアップ布４０の張力が加わらないので、この部分は後述するようにバストＢのずり上りが抑制される。  なお図示していないが、非縫着部分４２ａを設けず、リフトアップ布４０の下辺４２全体をブラジャーカップ１の下辺２に合わせて裁断し、該下辺４２全体をブラジャーカップ１の下辺２に縫着してもよい。
【００４２】  婦人下着Ａの前面部５となる土台布１０は必要に応じて設けられる。ここでは土台布１０を用いる場合を代表例にする。土台布１０は、例えば図４に示すように、円弧状でＷ形に抉られたカップ刳り辺１３が左右に設けられている。そして婦人下着Ａの背面部７となるサイドベルト１１・１２は土台布１０（或いは、図示していないがカップ被覆布２０）から左右に伸びている。  カップ刳り辺１３には左右のカップ被覆布２０の下縁２２、リフトアップ布４０の下辺４２の縫着部分４２ｂ・４２ｃ、ブラジャーカップ１の下辺２、及び非伸縮性のテープ２８が更に重ね合わされて一体となって縫着され、Ｗ形の細い線状のカップ支持部１４が形成されている。
【００４３】  本実施例ではワイヤはこの部分（カップ支持部１４）に用いられない。従って、ワイヤを用いた時のようにカップ部の下辺であるカップ支持部１４の形状が一義的に決まらず、ワイヤ使用時に比べて柔軟性を持つ。ただし、カップ支持部１４は分厚く柔軟に曲がるが長手方向の伸縮性はない。着用時、バストＢのバージスラインＶにソフトに接するようになる。カップ支持部１４におけるリフトアップ布４０の張力は、上記のようにリフトアップ布４０の縫着部分４２ｂ・４２ｃ部分に発生する。
【００４４】  図の実施形態では土台布１０とサイドベルト１１・１２とは布地、又はレース地で構成されている。一方のサイドベルト１１の端部には雄側である係止部材１１ａ、他方のサイドベルト１２の端部には雌側である被係止部材１２ａが設けられている。そして、土台布１０、及びサイドベルト１１・１２は、図４の十字矢印で示すように、短手方向より長手方向の方が弾性を持ち伸縮性に富む。
【００４５】  土台布１０を設けない場合は（図示せず）、ブラジャーカップ１の連結端部２２ｂが直接接続され、ブラジャーカップ１の下辺２に非伸縮性のテープ２８を重ね合わせて縫着して強度を出すようにする。そして、婦人下着Ａの背面部７となるサイドベルト１１・１２は、図示していないがカップ被覆布２０の下縁２２（特に、前記下縁２２において、ブラジャーカップ１の最下点Ｐに相当する位置から脇側端部Ｐ１に相当する位置）から左右に伸びている。
【００４６】  カップ連結布５０は、左右のブラジャーカップ１の上辺３の胸元側端部Ｐ２の近傍部分（対向部分）８を連結する布である。カップ連結布５０はパワーネットのような伸縮性に富む布の２重折りのものが使われている。該カップ連結布５０は、左右のブラジャーカップ１の連結方向の伸びの方がこれに直交する方向より大きく、且つ弾性を伴ってよく伸びる。カップ連結布５０の両側辺は上記のように胸元側端部Ｐ２の近傍部分８に縫着され、更にカップ連結布５０の下辺は土台布１０の左右のカップ刳り辺１３の間の山形部分５２を含むその両側部分に於いて、Ｗ形の細い線状のカップ支持部１４に縫着されている。
【００４７】  カップ連結布５０は、左右のブラジャーカップ１同士を接続するものなので、ブラジャーカップ１の間から外部に露出する。そこでここではカップ被覆布２０の形状及び構造、取付位置を考慮してカップ連結布５０を隠すようにした。  即ち、左右のカップ連結布５０の連結端部２２ｂは、反対側のブラジャーカップ１の下辺２まで伸び、連結端部２２ｂの上でこれを隠すように上下に重ね合わされている。
【００４８】  上記土台布１０にその下辺４２の縫着部分４２ｂ・４２ｃが縫着されたリフトアップ布４０の挿通部分４６は、その内側に重ね合わされたブラジャーカップ１の表面下部を覆い、スリット状の孔６を上から背面側に挿通され、その上端辺４５がストラップ３０の一端（胸側の端部）にカップ被覆布２０のストラップ接続部２３ａと共に接続される。  ストラップ３０の他端（背中側の端部）はサイドベルト１１（１２）の上辺中央にそれぞれ接続されている。  リフトアップ布４０の挿通部分４６の４６ｗ幅は、上記のようにスリット状の孔６のスリット開口幅６ｗと同じか又は小さく形成されている。後者の場合、スリット幅６ｗが挿通部分４６の幅４６ｗと等しい場合に比べて接触抵抗がより少なくなるため、挿通部分４６の長手方向のスリット状の孔６に対する移動が等しい場合より容易になる。更に、スリット開口幅６ｗが挿通部分４６の４６ｗ幅に比べて大きいので、スリット方向に挿通部分４６の可動範囲が増え、着用者の体形に合わせてストラップ３０の位置がずれたとしても（例えば、肩幅が広い場合、左右のストラップ３０の間隔は広がり、逆では狭まる。）この余裕の範囲でこのズレ量を吸収して、常に、ブラジャーカップ１をバストＢ位置に保持できる。  なお、リフトアップ布４０の上辺４３は図１から分かるように、ブラジャーカップ１のトップ位置Ｋと一致する部分、或いはその上下近傍部分を通る。
【００４９】  次に、婦人下着Ａを着用した場合の作用に付いて説明する。この婦人下着Ａを着用すると、係止部材１１ａと被係止部材１２ａで繋がれたサイドベルト１１・１２によって土台布１０が伸びて着用者の胴回りを軽く締め付け、ストラップ３０がカップ被覆布２０及びリフトアップ布４０を矢印（図１参照）で示すように肩方向に吊り上げる。  カップ支持部１４は両バストＢのバージスラインＶにそれぞれ入り込み、バストＢを下から支える。カップ支持部１４にはワイヤが入っていないため、伸びはないがバストＢの大小、或いはバージスラインＶの形状に合わせてカップ支持部１４が柔軟に変形してバージスラインＶにソフトに当たる。
【００５０】  そしてブラジャーカップ１の下辺２全体とカップ被覆布２０の下縁２２とが上記のように縫着されているものの、リフトアップ布４０の下辺４２にはその最下点Ｑ（ブラジャーカップ１の最下点Ｐに一致する点）を含む部分が非縫着部分４２ａとなり、その両側が縫着部分４２ｂ・４２ｃとなっているので、ブラジャーカップ１は該縫着部分４２ｂ・４２ｃで吊り上げられて、カップ支持部１４の、上記非縫着部分４２ａに一致する部分にバストＢの対応部分（下部中央部分）が僅かながら入り込む。
【００５１】  また、ブラジャーカップ１は、リフトアップ布４０の挿通部分４６がブラジャーカップ１のコーナー部分９に設けたスリット状の孔６に表面側から裏面側に挿通されている。そしてこの挿通部分４６はある程度の範囲で該スリット状の孔６を容易にその長手方向に移動できる。上記のようにこの挿通部分４６は、スリット状の孔６を通過する部分はスリット状の孔６より細いが、図１から分かるように、スリット状の孔６より若干下の部分（例えば、スリット状の孔６より１０ｍｍ程度下辺４２側に下がった位置）ではその幅が急増し、スリット状の孔６のスリット幅６ｗを越える。これにより、ブラジャーカップ１の挿通部分４６の長手方向への無制限な移動は抑制される。
【００５２】  このようなブラジャーカップ１とリフトアップ布４０との関係において、挿通部分４６の幅方向（孔６のスリット方向）では、ストラップ３０が水平方向に移動すると、該スリット状の孔６の孔縁に挿通部分４６が引っ掛かるので、ブラジャーカップ１も係合後の移動量だけ共に移動することになる。換言すれば、ブラジャーカップ１の上辺３と側辺４は、挿通部分４６の挿通によって水平方向にある範囲の余裕を持って拘束される。即ち、ブラジャーカップ１の上辺３及び側辺４は完全なフリーではなく、有る範囲の余裕を以ってリフトアップ布４０に拘束され、不安定さが解消される。
【００５３】  このブラジャーＡを着用すると、図９に示すようにブラジャーカップ１に対してバストＢが大きい場合、バストＢを収納したブラジャーカップ１が豊かなバストＢに押されてその下辺２を中心に前方に倒れる。この時、リフトアップ布４０の挿通部分４６をブラジャーカップ１のスリット状の孔６がスムーズに下に移動してバストＢを包み込む。
【００５４】  これに対して、ブラジャーカップ１に対してバストＢが小さい場合、ブラジャーカップ１を上から覆うカップ被覆布２０の張力によりブラジャーカップ１が、その下辺２を中心に起き上がる。この時、リフトアップ布４０の挿通部分４６をブラジャーカップ１のスリット状の孔６がスムーズに上に移動してバストＢを包み込む。  このブラジャーカップ１の上記起倒は、ストラップ３０に接続され、ブラジャーカップ１全体をその表面側から包み込むカップ被覆布２０によって行われる。  なお、図１０のようにブラジャーカップ１の下半分１ｄを分厚くしておけば（或いは、パッドを挿入して分厚くしておけば）、バストアップ効果を高められる。  いずれの場合でも、ブラジャーカップ１は上記起倒によってバストＢの大小に対してある程度の裕度を以って対応することが出来ること、カップ支持部１４にワイヤを挿入しないワイヤレスなので、或るカップサイズでその前後のカップサイズをカバー出来、それ故、ワイヤを用いた従来例に比べてカップサイズを減らすことが出来る。
【００５５】  次にこの婦人下着Ａを着用した者が、動いたり、体を捻ったり、伸びをした場合に付いて説明する。この婦人下着Ａを着用した者が動作した場合、ストラップ３０によりリフトアップ布４０が上方に引っ張られる。リフトアップ布４０の２カ所の縫着部分４２ｂ・４２ｃによりブラジャーカップ１の下部が上方に引っ張られる。縫着部分４２ｂ・４２ｃ間の非縫着部分４２ａにおいて、カップ支持部１４が、上記のように非縫着部分４２ａに対応する部分でバストＢのバージスラインＶに係止するため、ブラジャーカップ１のずり上がりが防止される。これにより高いフィット感を得られる。
【００５６】  （第２の実施形態）  次に、サブリフトアップ布６０を使用した第２の実施形態に付いて説明する。サブリフトアップ布６０は、図４に仮想線（二点鎖線）で示すように、必要に応じて設けられるものである。サブリフトアップ布６０は正面視、半月状のパーツで、リフトアップ布４０と同様の素材でその上辺６３で折り返された二重使いで使用されている。サブリフトアップ布６０の下辺６２はブラジャーカップ１の下辺２と共に縫着され、カップ支持部１４の一部となる。サブリフトアップ布６０の脇刳り構成辺６４はブラジャーカップ１の側辺４に縫着され、上辺６３はフリーである。
【００５７】  サブリフトアップ布６０は、図５の円形で示す断面から分かるように、カップ被覆布２０とリフトアップ布４０との間、又はリフトアップ布４０とブラジャーカップ１との間に挟まれるように設けられている。  サブリフトアップ布６０はカップ被覆布２０とリフトアップ布４０、又はリフトアップ布４０とブラジャーカップ１に対して分離して設けられている。
【００５８】  サブリフトアップ布６０の胸元側端部６２Ｐ２は、リフトアップ布４０の非縫着部分４２ａの胸元側端部に一致している（図６）。これにより、サブリフトアップ布６０はリフトアップ布４０の非縫着部分４２ａから幅の狭い脇側縫着部分４２ｂを覆うことになり、リフトアップ布４０の非縫着部分４２ａから幅の狭い脇側縫着部分４２ｂを補強することになる。
【符号の説明】
【００５９】Ａ：婦人下着、Ｂ：バスト、Ｋ：トップ位置、Ｐ：最下点、Ｐ１：脇側端部、Ｐ２：胸元側端部、Ｐ３：側辺の上端、Ｐ４：側辺の上端から１／３から１／４の地点  、Ｑ：リフトアップ布の最下点、Ｑ１：リフトアップ布の脇側端部、Ｑ２：リフトアップ布の胸元側端部、Ｖ：バージスライン、１：ブラジャーカップ、１ａ：表面層、１ｂ：中層、１ｃ：裏面層、１ｄ：下半分、１ｅ：上半分、２：下辺、３：上辺、４：側辺、５：前面部、６：孔、６ｗ：孔の長手方向の幅（スリット幅）、７：背面部、８：ブラジャーカップの胸元側端部の近傍部分、９：ブラジャーカップのコーナー部分、１０：土台布、１１・１２：サイドベルト、１１ａ：係止部材、１２ａ：被係止部材、１３：カップ刳り辺、１４：カップ支持部、２０：カップ被覆布、２２：下縁、２２ａ：袖刳り側端部、２２ｂ：連結端部、２３：カップ被覆布の上辺、２３ａ：ストラップ接続部、２４：側辺、２５：袖刳り、２８：テープ、３０：ストラップ、４０：リフトアップ布、４２：リフトアップ布の下辺、４２ａ：非縫着部分、４２ｂ：脇側縫着部分、４２ｃ：胸元側縫着部分、４３：リフトアップ布の上辺、４４：リフトアップ布の側辺、４５：上端辺、４６：挿通部分、４６ｗ：挿通部分の幅、５０：カップ連結布、５２：山形部分、６０：サブリフトアップ布、６２：サブリフトアップ布の下辺、６２Ｐ２：胸元側端部、６３：上辺、６４：脇刳り構成辺。
【図１】
2019224965.tif 000003
【図２】
2019224965.tif 000004
【図３】
2019224965.tif 000005
【図４】
2019224965.tif 000006
【図５】
2019224965.tif 000007
【図６】
2019224965.tif 000008
【図７】
2019224965.tif 000009
【図８】
2019224965.tif 000010
【図９】
2019224965.tif 000011
【図１０】
2019224965.tif 000012
【国際調査報告】
2019224965.tif 000013
2019224965.tif 000014